(57)【要約】【課題】飲料、特にコーヒーを提供するための装置１であって、抽出ユニット３が設けられており、抽出ユニット３を通って湯が案内されて抽出が行われるようになっており、飲料注出部１５が設けられており、飲料注出部１５で、容器１４に、準備された飲料が充填されるようになっている、飲料提供装置を改良して、抽出飲料の効果的な冷却が実現され、一定の飲料品質が達成されるものを提供する。【解決手段】集合容器９に氷を供給するための装置２が設けられており、抽出された飲料は、集合容器９を通って、氷と共に、飲料注出部１５に案内されるようになっている。【選択図】図２
2010179964.tif 000002
【特許請求の範囲】
【請求項１】
飲料、特にコーヒーを提供するための装置（１）であって、
抽出ユニット（３）が設けられており、該抽出ユニット（３）を通って湯が案内されて抽出が行われるようになっており、飲料注出部（１５）が設けられており、該飲料注出部（１５）で、容器（１４）に、準備された飲料が充填されるようになっている、飲料提供装置において、
集合容器（９）に氷を供給するための装置（２）が設けられており、抽出された飲料は、集合容器（９）を通って、氷と共に、飲料注出部（１５）に案内されるようになっていることを特徴とする、飲料提供装置。
【請求項２】
集合容器（９）は、出口（１０）を備えており、該出口（１０）に、閉鎖可能な弁（１１）が設けられている、請求項１記載の装置。
【請求項３】
抽出飲料は、抽出ユニット（３）から、選択的に直に飲料注出部（１５）に案内されるか、または集合容器（９）を介して案内されるようになっている、請求項１または２記載の装置。
【請求項４】
氷供給装置（２）は、氷を細かく砕くための手段（２０）を備えている、請求項１から３までのいずれか１項記載の装置。
【請求項５】
自動の氷の調量装置（１６）が、氷供給装置（２）に設けられている、請求項１から４までのいずれか１項記載の装置。
【請求項６】
氷供給装置（２）は、容器を備えており、該容器に、氷を細かく砕くための、被駆動式のディスクが配置されている、請求項１から５までのいずれか１項記載の装置。
【請求項７】
氷供給装置（２）は、氷を、選択的に集合容器（９）に供給するか、または直に飲料注出部（１５）に供給するようになっている、請求項１から６までのいずれか１項記載の装置。
【請求項８】
制御装置が設けられており、該制御装置によって、ホット飲料またはコールド飲料を自動的に提供するための様々なプログラムが選択されるようになっている、請求項１から７までのいずれか１項記載の装置。
【請求項９】
集合容器（９）は、ホッパ状に形成されている、請求項１から８までのいずれか１項記載の装置。
【請求項１０】
氷供給装置（２）は、集合容器（９）の上方に配置されており、該集合容器（９）は、飲料注出部（１５）の上方に配置されている、請求項１から９までのいずれか１項記載の装置。
【請求項１１】
集合容器（９）は、当該飲料提供装置から取出可能に配置されている、請求項１から１０までのいずれか１項記載の装置。
【発明の詳細な説明】
【技術分野】
【０００１】
本発明は、飲料、特にコーヒーを提供するための装置であって、抽出ユニットが設けられており、抽出ユニットを通って湯が案内されて抽出が行われるようになっており、飲料注出部が設けられており、飲料注出部で、容器に、準備された飲料が充填されるようになっている、飲料提供装置に関する。
【背景技術】
【０００２】
ドイツ連邦共和国特許出願公開第２２４３８８２号明細書においてドリンクディスペンサが公知であり、ここでは貯蔵氷が貯蔵容器に配置されており、貯蔵容器は、アイスディスペンサを介して時間単位あたり所定量の氷を提供することができる。氷は、容器内で飲料と混合することができる。このようなドリンクディスペンサの欠点によれば、固体が飲料内に残存し、使用者によって不快である。さらに氷塊はゆっくりとしか溶けないので、冷却に時間が掛かるか、または氷の過度の調量が飲料の味を低下させる。
【０００３】
ドイツ連邦共和国特許出願公開第３４０５３９６号明細書において、抽出装置が公知であり、ここでは飲料を冷却するために、フィルタ装置とボトルとの間に冷却容器が設けられている。手動で充填可能な追加的な冷却容器における冷却は、固体の粒の分離を実現するが、正確な氷量の調量は困難である。なぜならば抽出されるコーヒーの温度、周辺温度および氷塊の大きさに応じて、効果の大小する冷却が行われるからである。
【先行技術文献】
【特許文献】
【０００４】
【特許文献１】ドイツ連邦共和国特許出願公開第２２４３８８２号明細書
【特許文献２】ドイツ連邦共和国特許出願公開第３４０５３９６号明細書
【発明の概要】
【発明が解決しようとする課題】
【０００５】
したがって本発明の課題は、冒頭で述べたような飲料提供装置を改良して、抽出飲料の効果的な冷却が実現され、一定の飲料品質が達成されるものを提供することである。
【課題を解決するための手段】
【０００６】
この課題を解決するために本発明の構成では、飲料、特にコーヒーを提供するための装置であって、抽出ユニットが設けられており、該抽出ユニットを通って湯が案内されて抽出が行われるようになっており、飲料注出部が設けられており、該飲料注出部で、容器に、準備された飲料が充填されるようになっている、飲料提供装置において、集合容器に氷を供給するための装置が設けられており、抽出された飲料は、集合容器を通って、氷と共に、飲料注出部に案内されるようになっている。
【０００７】
好適には、集合容器は、出口を備えており、該出口に、閉鎖可能な弁が設けられている。
【０００８】
好適には、抽出飲料は、抽出ユニットから、選択的に直に飲料注出部に案内されるか、または集合容器を介して案内されるようになっている。
【０００９】
好適には、氷供給装置は、氷を細かく砕くための手段を備えている。
【００１０】
好適には、自動の氷の調量装置が、氷供給装置に設けられている。
【００１１】
好適には、氷供給装置は、容器を備えており、該容器に、氷を細かく砕くための、被駆動式のディスクが配置されている。
【００１２】
好適には、氷供給装置は、氷を、選択的に集合容器に供給するか、または直に飲料注出部に供給するようになっている。
【００１３】
好適には、制御装置が設けられており、該制御装置によって、ホット飲料またはコールド飲料を自動的に提供するための様々なプログラムが選択されるようになっている。
好適には、集合容器は、ホッパ状に形成されている。
【００１４】
好適には、氷供給装置は、集合容器の上方に配置されており、該集合容器は、飲料注出部の上方に配置されている。
【００１５】
好適には、集合容器は、当該飲料提供装置から取出可能に配置されている。
【発明の効果】
【００１６】
本発明によれば、集合容器に氷を供給するための装置が設けられており、抽出された飲料は、集合容器を通って、氷と共に、飲料注出部に案内されるようになっている。これによって氷提供装置は、氷を所望量に調量することができるので、調節された飲料量に応じて氷を必要量だけ集合容器に送り出すことができる。さらに提供される飲料の温度は、氷の混合量によって予め設定することができる。提供される飲料の再現可能な品質結果が得られ、このことはとりわけ自動コーヒーマシンまたは別の飲料提供装置において好適である。
【００１７】
本発明の好適な形態では、集合容器が、出口を備えており、出口に、閉鎖可能な弁が設けられている。これによって集合容器における氷と抽出飲料との滞留時間を予め設定することができる。好適には、抽出飲料は、集合容器に送り出され、そこで、冷却された飲料が飲料注出部に送り出されるまえに、５秒〜３０秒、好適には１０秒〜２０秒の時間長さで滞留する。これによって依然として固体である粒が冷却された飲料に残存する、ということが回避される。滞留時間は、制御装置によって自動的に設定することができ、特に飲料準備に関する特定のプログラムを選択する際に設定することができる。
【００１８】
飲料提供装置を特にフレキシブルに構成するために、抽出飲料は、抽出ユニットから、選択的に直に飲料注出部に案内されるか、または集合容器を介して案内されるようになっている。これによって使用者は、抽出されたホット飲料を受け取るか、または冷却された飲料を受け取るか決定することができる。
【００１９】
本発明の別の形態によれば、氷供給装置は、氷を細かく砕くための手段を備えている。大きな氷塊は冷却に長時間必要であり、ゆっくりとしか融解しない。氷の表面積を拡大するために、好適には、氷塊を小さな氷粒に砕くための装置が設けられているので、氷は、簡単に集合容器に調量することができる。このために氷供給装置は、容器を備えており、容器に、氷を細かく砕くための、被駆動式のディスクが配置されており、ディスクは、対応するブレードと協働する。ブレードは、調節可能に形成されており、これによって砕かれる氷粒の大きさを調節することができる。
【００２０】
好適には、自動式の氷調量装置が、氷供給装置に設けられている。したがって、多すぎる氷が氷供給装置に送り出される、ということが回避され、この場合必要量の氷しか調量装置を通って氷供給装置に送り出されない。調量装置は、たとえば氷塊のための貯蔵容器または収容装置を備えることができ、貯蔵容器または収容装置は、氷供給装置への単数または複数の氷塊の自動的な送り出しを実現する。
【００２１】
本発明の別の形態によれば、氷供給装置は、氷を、選択的に集合容器に供給するか、または直に飲料注出部に供給するようになっている。これによって使用者は、飲料に氷を付けるか、またはコールド飲料だけを受け取るか決定することができる。
【００２２】
本発明の別の形態によれば、飲料提供装置に制御装置が設けられており、制御装置によって、ホット飲料またはコールド飲料を自動的に提供するための様々なプログラムが選択可能である。さらに使用者は、制御装置を介して、細かく砕かれた氷だけを飲料注出部で取り出すように設定することもできる。さらに香料、特にシロップを調量するための手段を設けてもよい。これによって飲料提供装置は、様々な温度および嗜好の多様の飲料を提供することができる。
【００２３】
効果的な冷却のために、集合容器は、ホッパ状に形成することができるので、出口に切換可能な弁を設けるために、重力を利用することができる。これによって、飲料を提供する際に、洗浄に関して問題となり得る不要なポンプを省略することができる。さらに氷供給装置は、集合容器の上方に配置されており、集合容器は、飲料注出部の上方に配置されているので、重力を用いて、製作プロセスの範囲内で飲料提供を行うことができる。
【００２４】
集合容器の簡単な洗浄のために、集合容器は、飲料提供装置から取出可能に配置されており、たとえば集合容器は、取出可能な引出内に配置することができる。
【図面の簡単な説明】
【００２５】
【図１】本発明による飲料提供装置を示す概略図である。
【図２】氷供給装置付近で、本発明による飲料提供装置を詳しく示す図である。
【図３】氷供給装置の展開図である。
【発明を実施するための形態】
【００２６】
次に図面に基づいて、本発明の実施の形態を詳しく説明する。
【００２７】
飲料、特にコーヒーを提供するための装置１は、氷を供給するための装置２を備えており、氷供給装置２は、ホット飲料を作るための抽出ユニット３と共に飲料提供装置１に収容されている。抽出ユニット３に、略示した湯用の供給部４と、抽出物（特にコーヒー）用の調量装置５とから供給が行われる。コーヒーは、ミル装置を介して、所望量で抽出ユニット３に供給することができる。抽出ユニット３から、送出管路６が分岐７に通じており、分岐７は、切換可能に形成されていて、選択的に、抽出飲料は、管路１３を通って飲料注出部１５に案内されるか、または集合容器９に通じる供給路８に案内される。集合容器９は、下位部分でホッパ状に形成されていて、出口１０に切換可能な弁１１を備えており、弁１１は、飲料注出部１５に通じる排出路１２を開閉する。
【００２８】
飲料注出部１５は、集合装置として略示しており、集合装置は、出口を備えており、出口の下方に容器１４、特にカップが置かれるようになっている。
【００２９】
氷供給装置２の上方に、調量装置１６が設けられており、調量装置１６は、自動運転可能であり、単数または複数の氷塊を氷供給装置２に送り込む。調量装置１６は、氷塊用の集合容器または集合装置または製氷ための装置であってよい。
【００３０】
氷供給装置２は、容器を備えており、容器内に氷を破砕するためのディスク１７が配置されている。ディスク１７は、軸１８によって駆動され、軸１８は、モータ１９を介して回動可能であり、ここでは選択的に伝動装置および／または継手が設けられていてよい。ディスク１７に、突出する掻き回しエレメント２０が設けられており、掻き回しエレメント２０によって、容器内に存在する氷塊は略示したブレード２３に向かって移動させられるので、矢印２１で示唆したように、氷塊は細かく砕かれた状態で集合容器９に送り込むことができる。ブレード２３は、容器に調節可能に配置されているので、細かく砕かれた氷塊の大きさを設定することができる。自動調節の場合、制御装置を介して、選択された飲料に応じて、砕かれる氷粒の大きさを選択することができる。
【００３１】
容器１４に細かく砕かれた氷粒を提供するよう所望される場合、砕かれた氷粒を直に氷供給装置２から飲料出口１５に送るために、切換可能な出口を作動させることができ、これについては略示した管路２２で示唆した。
【００３２】
ホット飲料を提供するために、抽出ユニット３に湯および抽出物が充填され、管路６および管路１３を介して抽出飲料が飲料注出部１５に送り込まれる。
【００３３】
コールド飲料、たとえばアイスコーヒーまたはアイスティーを提供するよう所望される場合、抽出飲料の冷却が飲料提供装置１内で行われ、このために同時に抽出ユニット３が作動させられ、これに並行して氷調量装置１６を介して単数または複数の氷塊が氷供給装置２に送られる。氷供給装置２内で、単数または複数の氷塊が破砕され、集合容器９に送り込まれる。集合容器９では、管路８からの抽出飲料と、氷供給装置２からの細かく砕かれた氷粒とが集められ、ここでは弁１１は、所定時間、たとえば１０秒〜６０秒閉じることができる。この時間内で、細かく砕かれた氷粒が集合容器９内で融解し、抽出飲料は、所望の温度に冷却することができる。この時間が経過すると、弁１１は、調節エレメントを介して開かれ、抽出飲料は、提供管路１２を通って飲料注出部１５に供給され、容器１４に供給される。抽出ユニット３、氷供給装置２ならびに弁１１は、飲料提供装置１の中央制御ユニットを介して制御される。制御ユニットは、様々な飲料を提供するためのプログラムメニューに関する操作部および表示部を備えることができる。
【００３４】
図２および図３には、飲料提供装置１の氷供給装置２を詳しく示した。モータ１９は、軸１８を駆動し、軸１８は、氷供給装置２の容器の底部を貫通して、そこでディスク１７を回転させ、ディスク１７は、氷塊を掻き回すための単数または複数の突出部を備えている。また容器にブレード２３が取り付けられており、ブレード２３は、保持手段２４と一体的に形成されており、保持手段２４は、容器の壁に取り付けられている。氷供給装置２の容器は、蓋２５を介して閉じられており、ここでは選択的に氷塊の手動供給も、調量装置１６による氷塊の自動供給も実現可能である。
【００３５】
氷供給装置２に隣接して、僅かにその下方に、集合容器９が配置されているので、出口２１を通って容器に細かく砕かれた氷を直に集合容器９に送り込むことができる。集合容器９も同様に蓋２６を介して閉じることができ、蓋２６に、抽出飲料のための供給管路２７が形成されている。
【００３６】
集合容器９の下面に出口１０が設けられており、出口１０に弁１１が可動に配置されている。弁１１を作動させるために、アクチュエータ３０が設けられており、アクチュエータ３０は、押圧バー３１および押圧ディスク３２を介して弁１１を運動させる。さらに弁のハウジング３３が出口１０に配置されている。
【００３７】
飲料の機能性を高めるために、香料、特にシロップのための調量装置を設けてもよい。この調量装置は、たとえば飲料注出部１５付近に設けることができ、これによって香料は直に容器１４に調量される。
【符号の説明】
【００３８】
１  飲料提供装置、  ２  氷供給装置、  ３  抽出ユニット、  ４  供給部、  ５  調量装置、  ６  送出管路、  ７  分岐、  ８  供給路、  ９  集合容器、  １０  出口、  １１  弁、  １２  流出路、  １３  管路、  １４  容器、  １５  飲料注出部、  １６  調量装置、  １７  ディスク、  １８  軸、  １９  モータ、  ２０  掻き回しエレメント、  ２１  矢印、出口  ２２  管路、  ２３  ブレード、  ２４  保持手段、  ２５  蓋、  ２６  蓋、  ２７  供給路、  ３０  アクチュエータ、  ３１  押圧バー、  ３２  押圧ディスク、  ３３  ハウジング
【図１】
2010179964.tif 000003
【図２】
2010179964.tif 000004
【図３】
2010179964.tif 000005